(57)【要約】  【課題】  構造が簡易で組み立て作業の効率が良く、しかも安全性の高い足場を提供すること。  【解決手段】  一方の側面に足場板を載置する足場受金具を突設すると共に、その他方の側面の上端部には横バタ材に引っ掛けて用いる係止金具を突設した断面角形鋼材からなる支持部材と、この支持部材の上部に突設した前記足場受金具の先端部と該支持部材の下方との間に掛け渡した棚受金具と、からなる足場ブラケットに対し、前記支持部材と型枠パネル支持用横バタ材とが接する上下方向の少なくとも２箇所において、該支持部材を横バタ材に取り付けるための複数個の足場ブラケット固定金具を設けてなることを特徴とする作業足場支持装置。  【選択図】  図１
2006063731.tif 000002
【特許請求の範囲】
【請求項１】
一方の側面に足場板を載置する足場受金具を突設すると共に、その他方の側面の上端部には横バタ材に引っ掛けて用いる係止金具を突設した断面角形鋼材からなる支持部材と、この支持部材の上部に突設した前記足場受金具の先端部と該支持部材の下方との間に掛け渡した棚受金具と、からなる足場ブラケットに対し、前記支持部材と型枠パネル支持用横バタ材とが接する上下方向の少なくとも２箇所において、該支持部材を横バタ材に取り付けるための複数個の足場ブラケット固定金具を設けてなることを特徴とする作業足場支持装置。
【請求項２】
前記足場ブラケット固定金具は、横バタ材に沿わせる長尺状本体に対し、その両端部近傍にそれぞれ、ホームタイに係止するための取付け手段を設けるとともに、その中央部には支持部材を嵌め入れて係止する挟持部を設けてなることを特徴とする請求項１に記載の作業足場支持装置。
【請求項３】
前記型枠パネルは、外面側に、上下方向において間隔の異なる横バタ材を固定してなる大型型枠パネルであることを特徴とする請求項１または２に記載の作業足場支持装置。
【請求項４】
大型型枠パネルの所定の位置に、このパネルの外面に固定された横バタ材に対し、一方の側面に足場板を載置する足場受金具を突設すると共に、その他方の側面の上端部には横バタ材に引っ掛けて用いる係止金具を突設した断面角形鋼材からなる支持部材と、この支持部材の上部に突設した前記足場受金具の先端部と該支持部材の下方との間に掛け渡した棚受金具とからなる一の足場ブラケットを着脱可能に取り付けて作業足場を設置するに当たり、該足場ブラケットの支持部材と横バタ材とが接する上下方向の少なくとも２箇所に、該支持部材をこれと直交する横バタ材に固定するための複数個の足場ブラケット固定金具を用い、それの挟持部に前記支持部材を嵌め入れると共に、該固定金具の長尺状本低部分を前記横バタ材に沿って配置し、かつこの本体部分の両端近傍に設けた取付け手段に対し、横バタ材ならびに、型枠パネルから外面側に突き出たフォームタイのタイロッドを嵌め入れて締め付け固定することを特徴とする作業足場設置方法。
【請求項５】
前記足場ブラケット固定金具は、横バタ材に沿わせる長尺状本体に対し、その両端部近傍にそれぞれ、ホームタイに係止するための取付け手段を設けるとともに、その中央部には支持部材を嵌め入れて係止する挟持部を設けてなることを特徴とする請求項４に記載の作業足場設置方法。
【請求項６】
前記型枠パネルは、外面側に、上下方向において間隔の異なる横バタ材を固定してなる大型型枠パネルであることを特徴とする請求項４または５に記載の作業足場設置方法。
【発明の詳細な説明】
【技術分野】
【０００１】
本発明は、コンクリートによる室内外の隔壁などのコンクリート構造物を構築する際に用いられる型枠、とくに大型パネルを使った型枠への作業足場を着脱可能に設置するために用いられる支持装置、およびその設置方法に関するものである。
【背景技術】
【０００２】
一般に、コンクリートの建築物や構造物における内・外壁、バルコニー、ベランダ等の立ち上がり壁を構築するには、面板（パネル）に横バタ材および縦バタ材を組み合わせて形成される型枠が用いられる。そして、対峙させた一対の型枠の間にコンクリートを打設するとき、その型枠自体が大きいものでは、コンクリートの打設作業やバイブレータ掛け作業などを、該型枠の上部側から頻繁に行う必要がある。そして、作業員が型枠の上側からこれらの作業を効率よく行うには、型枠が大きくなればなるほど、高所作業も多くなるため、足場の仮設が必要となる。
【０００３】
従来、壁体構築用型枠に絡む作業としては、たとえば、足場掛け作業の場合、該型枠に面して複数の脚立を適当な間隔をあけて配置し、その脚立の天板間に足場板を掛け渡す方法が好適であり、作業者はその足場板上に乗って所要の作業を行っていた。
【０００４】
しかしながら、このような脚立を用いた足場は、安定性に欠ける他、それを確保するには十分な配慮と手間とが必要である。また、作業区間の下部空間は作業が終了するまで使用することができないために、作業現場が狭い場合には作業性の悪化を招くという問題もあった。
【０００５】
これに対し、従来、壁体構築用型枠に取付けられた横バタ材に掛止めした水平材と、これを水平に支えるための斜材とからなる作業足場支持装置が提案された。
例えば、特許文献１として示すものは、非使用時には断面がコの字状の水平材の中に斜材が収納できるようにした作業足場支持装置である。この従来装置は、水平材の長さが調整できるような構造とすることが特徴である。そのため、部品点数が多くなり費用が嵩むという問題点があった。
【０００６】
また、特許文献２として示すものは、水平材、鉛直材および斜材からなる作業足場支持装置であって、水平材の一端に設けられた掛止め部と、鉛直材に予め設けられた掛止め部を有する点に特徴がある。しかし、この支持装置は、掛止め部の設置間隔が変動することに対応できないという問題点があった。
【特許文献１】特開平１０−６１１７３
【特許文献２】特開平１１−２２９６１４
【発明の開示】
【発明が解決しようとする課題】
【０００７】
そこで、この発明の主たる目的は、構造が簡易で、しかも仮設コストの安い井作業足場支持装置を提供すること、とくに、足場の仮設作業を能率良く行うことができるとともに、安定感のある足場を構築することができ、足場板や作業者の転落の可能性が少なく、コンクリート壁体を高くした場合でも安全に作業ができる装置とそれの設置方法とを提供することにある。
また、本発明の他の目的は、壁体構築用型枠それ自体を利用して足場板を簡便にかつ着脱容易に取付けることができると共に、その足場の下部空間を有効に利用できるようにすることにある。
【課題を解決するための手段】
【０００８】
そこで、発明者らは、上記目的の実現向けて鋭意研究を重ねた。その結果、一方の側面に足場板を載置する足場受金具を突設すると共に、その他方の側面上端部には横バタ材に引っ掛けて用いる係止金具を突設した断面角形鋼材からなる支持部材と、この支持部材の上部に突設した前記足場受金具の先端部と該支持部材の下方との間に掛け渡した棚受金具とからなる一の足場ブラケットに対し、前記支持部材と型枠パネル用横バタ材とが接する上下方向の少なくとも２箇所において、該支持部材を横バタ材に取り付けるための複数個の足場ブラケット固定金具を設けてなることを特徴とする作業足場支持装置が有効であることがわかった。
【０００９】
さらに、発明者らは、大型型枠パネルの所定の位置に、このパネルの外面に固定された横バタ材に対し、一方の側面に足場板を載置する足場受金具を突設すると共に、その他方の側面の上端部には横バタ材に引っ掛けて用いる係止金具を突設した断面角形鋼材からなる支持部材と、この支持部材の上部に突設した前記足場受金具の先端部と該支持部材の下方との間に掛け渡した棚受金具とからなる一の足場ブラケットを着脱可能に取り付けて作業足場を設置するに当たり、該足場ブラケットの支持部材と横バタ材とが接する上下方向の少なくとも２箇所に、該支持部材をこれと直交する横バタ材に固定するための複数個の足場ブラケット固定金具を用い、それの挟持部に前記支持部材を嵌め入れると共に、該固定金具の長尺状本低部分を前記横バタ材に沿って配置し、かつこの本体部分の両端近傍に設けた取付け手段に対し、横バタ材ならびに、型枠パネルから外面側に突き出たフォームタイのタイロッドを嵌め入れて締め付け固定することを特徴とする作業足場設置方法についても提供するに至った。
【００１０】
また、本発明においては、前記足場ブラケット固定金具は、横バタ材に沿わせる長尺状本体に対し、その両端部近傍にそれぞれ、ホームタイに係止するための取付け手段を設けるとともに、その中央部には支持部材を嵌め入れて係止する挟持部を設けてなること、前記型枠パネルは、外面側に、上下方向において間隔の異なる横バタ材を固定してなる大型型枠パネルであることも、有効な手段である。
【発明の効果】
【００１１】
本発明にかかる作業足場支持装置は、一個の足場ブラケットに対し、複数個の足場ブラケット固定金具を組み合わせてなる簡易な構造をしており、そのため、枠組足場などを仮設する必要がない。しかも、コンクリート打設用の足場を簡易に設置することができるので、足場設置費用を低く抑えることが可能となるとともに、足場の組み立て作業を効率よく行うことができる。
また、本発明によれば、足場ブラケット固定金具の設置位置を、横バタ材の設置間隔に合わせて簡単に移動することが可能で、そのため、各種の大型型枠のいずれにも適用することができ、とくにコンクリート打設時の負荷状態に応じて横バタ材の設置位置が変わるときにも自由に対応させることができる。
【００１２】
さらに、本発明にかかる作業足場支持装置および作業足場設置方法によれば、その構成部材の一つである足場ブラケットを、所定の幅を持つ足場ブラケット固定金具６を用いて、コンクリート型枠板の外面側に突き出たフォームタイのタイロッド先端部を介して固定することにより、設置した足場ブラケットの横方向へのぶれが少なくなり、安定した作業足場を構築することができる。
【発明を実施するための最良の形態】
【００１３】
本発明は、図１に示すように、複数個の足場ブラケットＢを、該ブラケットの複数箇所にて足場ブラケット固定金具６を用いて、型枠パネルＰを支持する横バタ材１３に固定し、この固定された複数個の足場ブラケットＢに足場板１９を架け渡して作業足場とする装置である。
以下に、この作業足場支持装置の構成について詳しく説明する。
【００１４】
さて、足場ブラケットＢは、支持部材を主要部材として構成されている。図２は、本発明にかかる足場ブラケットＢの最も基本的な構造を示す概略図である。支持部材１は、断面角形鋼材からなり、その一方の側面には足場板を載置するための足場受金具２がこの支持部材の側面から突設される態様にて溶接固定されている。また、その他方の側面の上端部には、横バタ材に引っ掛けて用いる係止金具３が突設されている。そして、前記足場受金具２には、その先端部と前記支持部材１との間に、棚受金具４が補強のために斜めに架け渡す態様にて固定してあり、略三角形状の枠材部からなる足場ブラケットが構成される。
【００１５】
前記足場受金具２は、断面角形鋼材からなり、本発明にかかる作業足場支持装置が型枠に取付けられた状態では、その型枠パネル面から突き出た状態となり、その上に足場板１９が載置される。また、前記係止金具３は、足場を設置しようとする横バタ材の上方から横バタ材に引っ掛けて用いるものであり、該足場ブラケットを予定の位置に仮設置するときに有用であると共に、足場が落下するのを防止する役割をも果たすものである。また、前記棚受金具４は、足場受金具２を水平に保つ役割と、足場ブラケットＢの強度を向上させる役割を担うものである。
【００１６】
図３は、本発明にかかる足場ブラケットＢの他の実施形態を示す略線図である。この足場ブラケットは、支持部材１、足場受金具２および係止金具３については、図２のものと同様の構造であるが、棚受金具４が斜めに下支えする態様ではなく、該足場受け金具の先端をくの字型の棚受金具５にて補強してなるものである。なお、このくの字型棚受金具５は、その上端には手摺支柱を嵌め入れる手摺固定穴５aが設けてあり、該手摺固定穴５aを下端として図示していない手摺支柱を取付けることができる。
【００１７】
次に、足場ブラケット固定金具６について説明する。この足場ブラケット固定金具６は、一個の足場ブラケットに対して、上下方向の少なくとも２箇所に取付けるために、複数個を１つの組みとして用いるものである。図４に示すように、長手方向の略中央に、前記支持部材１を嵌め入れるためのコの字形に折れ曲がった挟持部７を有し、この挟持部７に支持部材１を嵌め入れた状態で型枠に取付けられるものである。また、この足場ブラケット固定金具６には、その両端部にフォームタイ２０のタイロッドを入れてネジ止めするための切り欠き溝９（図４(a)）または貫通孔９´（図４(b)）からなる取付け手段が設けられている。足場設置作業の効率性の観点からは、切り欠き溝であることがより好ましい。
【００１８】
前記挟持部７は、支持部材１の大きさと同じ大きさとすることが好ましい。これらの大きさが、例えば、支持部材１の大きさよりも短いと、該支持部材１を足場ブラケット固定金具６の挟持部７に嵌め入れることができなくなる。一方、その大きさが、支持部材１の大きさより長いと、支持部材１を足場ブラケット固定金具６の挟持部７に嵌め入れることはできるものの、支持部材１との間に遊びが生じるために、支持部材１の横方向のぶれを十分に阻止することができなくなってしまい、作業足場の安定性に悪影響を与えることになる。
【００１９】
さらに、足場ブラケット固定金具６の型枠板に接する面とは反対側の面には、該金具の幅方向の中心部に沿って、その面に対して垂直に突出する補強リブ８を設けていることが好ましい。この補強リブ８は、足場ブラケットＢの支持部材を該金具で型枠パネルＰを支持する横バタ材に押し当てて固定する際に、該金具の反り返りによる締着力の低下を防止するために有効である。
【００２０】
本発明に係る足場ブラケットを用いた足場は、足場ブラケットの支持部材１の長さより高さ方向に高い型枠パネルに対して設置可能であるが、一般に、型枠パネルのうち、高さ方向の長さが、数ｍを超えるような大型型枠パネルに設置することがより好ましい。その理由は、あまりに小さいと、本発明に係る足場ブラケットを用いるまでもなく、安定な足場を設置することが可能であり、一方、本発明に係る足場ブラケットでは、これがあまりに大きすぎると、型枠パネルの上部に取付けて用いるものであることから、足場自体の重みにより型枠パネルがたわみ、かえって足場が不安定になる。
【００２１】
ここで、高さ方向の長さが数ｍを超える大型型枠パネル１６の製作方法を、図４に基づいて説明する。図４は、大型型枠パネル１６を製作するときに用いられる組立用構台である。この組立用構台は、型枠構築の前に、予めパネルに横バタ材と縦バタ材を兼ねる補強材とセパレーター取付け用のセパ穴等を施工しておくためのものであり、高さ方向に当る一方を他方よりも高くした斜面を構成する作業面を有する金属枠で形造られている。その作業面が傾斜する方向と平行に走る角パイプからなる上面枠１０には、くさび１２ａの抜き差しによってその取付け位置を長手方向にスライド可能に取付けた根太固定金具１２を介して、該上面枠１０と直交するように複数本の根太１１が取付けられている。なお、この型枠パネル１６には、セパレータを取り付けるセパ穴を設ける必要があり、また、そのセパレータを取り付ける位置は、コンクリートを打設した際に型枠パネルにかかる圧力が該パネルの上部と下部とで異なることから、該セパ穴を設ける位置は、該パネルＰの上部と下部とで異ならしめることが一般的である。このため、根太１１を固定する前記根太固定金具１２は、前記上面枠１０に沿って簡単に移動できるようにすることが必要である。そこで、上記組立構台には、前記根太固定金具１２をスライド可能に設置して根太間隔を簡易に変えられるようにした。それは、セパ穴を設ける位置と根太１１の取付け位置とが重なると、組立構台の作業面上で型枠パネルの構築と同時に該セパ穴を穿けることができなくなることを防ぐためである。
【００２２】
次に、前記大型型枠パネルの具体的な製作築方法について説明する。大型パネル１６を組立用構台を使って製作するにあたっては、まず、根太１１の上にパネル板を置き、次いで、該パネル板の上に根太１１に対して平行に、型枠パネルの大きさに対応した数の横バタ材を設置する。次に、実際の施工時に打設したコンクリートにより該パネル板がコンクリートの重みや足場の重みにより変形しないように、根太１１に対して直角に、型枠パネルの大きさに対応した数の角パイプからなる補強材を設置する。
【００２３】
以下に、大型の立ち上がり壁用型枠に、本発明に係る作業足場を取り付ける方法について、図１に基づいて説明する。
はじめに、前記大型型枠パネルの施行現場への移設方法について説明する。組立構台の作業面上で製作された大型型枠パネル１６は、型枠移動台車にて施工現場に運び、所定の位置に立設する。実際の施工にあたっては、内壁側のコンクリート型枠を構成する大型型枠パネルがはじめに型枠移動台車にて運ばれて立設され、次に外壁側のコンクリート型枠を構成する大型型枠パネルＰを台車にて運び、レッカーで吊り上げて、先組の内壁側大型型枠パネルと対峙するように、後組の外壁側大型型枠パネルを所定の間隔をおいて配置し、垂直建入れ、角締めの施工を行う。このとき、セパレーター取付け作業を効率よく行うために、大型型枠パネルの対応するセパ穴は対向する位置となるようにする。このようにして型枠を完成させる。
【００２４】
次に、上記の型枠に対し、本発明に係る足場ブラケットＢを外壁側のコンクリート型枠を構成する型枠パネル１６に取り付ける。まず、それには、足場ブラケットＢを、係止金具３を介して型枠パネル１６を支持する横バタ材１３に引っ掛けて仮りに架設して位置合わせを行う。その後、その足場ブラケットＢの支持部材１と横バタ材１３とが交差する上下方向の２つの位置に、足場ブラケット固定金具６を取り付ける。このとき、この金具６の一部に設けられた挟持部７に、前記支持部材１を嵌め入れ、その後、該金具６の両端に設けた貫通孔９´もしくは欠き溝９からなる取付け手段に、フォームタイ２０のタイロッドを嵌め入れたのち、ネジ止めする。このことにより、該足場ブラケットＢは、支持部材１を一辺として足場板１９が型枠パネル１６から突出した状態で取付けられる。
【００２５】
上述した足場ブラケットＢの型枠パネルの仮説に当たり、横バタ材１３と前記支持部材１との交点、即ち、足場ブラケット固定金具６の取付け数は、該支持部材１の長さによって増減させることができるが、足場ブラケット固定金具６によって該支持部材１を固定する位置は、少なくとも２箇所、場合によっては更に多くの場所に取付ける。設置する足場ブラケットＢの横方向のぶれを確実に抑制するには、少なくとも２箇所の前記交点において足場ブラケット固定金具６を用いて固定する。
【００２６】
その後、横バタ材１３に対して、横バタ材１３の長手方向に沿って離間して複数の足場ブラケットが同様の手順で取り付けられる。この実施形態では、図１に示すように、一枚の型枠に対して、複数個の足場ブラケットが取り付けられている。そして、これらの複数個の足場ブラケットにおける足場受金具２上には、それぞれ足場板１９が載置される。こうして、コンクリート打設用の作業足場が形成される。
【産業上の利用可能性】
【００２７】
本発明の活用例としては、コンクリートによる室内の隔壁や梁などのコンクリート壁体を型枠を用いて構築するにあたって、コンクリート材の投入や、バイブレータ掛けなど、型枠の上側からの作業が頻繁に必要となる場合に利用される。
【図面の簡単な説明】
【００２８】
【図１】本発明に係る作業足場支持装置を施工した例を示す斜視図。
【図２】足場ブラケットの概略図。
【図３】足場ブラケットの好ましい例を示す概略図。
【図４】足場ブラケット固定金具を示す概略図。
【図５】組立構台を示す斜視図。
【符号の説明】
【００２９】
Ｂ      足場ブラケット
１      支持部材
２      足場受金具
３      係止金具
４      棚受金具
５      くの字型棚受金具
５ａ    手摺固定穴
６      足場ブラケット固定金具
７      挟持部
８      補強リブ
９      嵌め入れ欠き溝
９´    貫通孔
１０    角パイプ
１１    根太
１２    スライド金具
１２ａ  くさび
１３    横バタ材
１４    縦バタ材
１５    外付け縦バタ材
１６    型枠パネル
１７    手摺支柱
１８    手摺
１９    足場板
２０    ホームタイ
【図１】
2006063731.tif 000003
【図２】
2006063731.tif 000004
【図３】
2006063731.tif 000005
【図４】
2006063731.tif 000006
【図５】
2006063731.tif 000007